(57)【特許請求の範囲】
【請求項１】
潤滑ポンプに取り付けられるとともにブロー成形により成形され内部空間に充填された潤滑剤を該潤滑ポンプに供給する樹脂製のカートリッジタンクにおいて、
山部と谷部とが軸方向に交互に形成され軸方向に伸縮可能な蛇腹筒状の側壁と、該側壁の一端縁に一体に連設される底壁と、上記側壁の他端縁に一体に連設されるとともに該側壁と同軸の外開口及び内開口を有した通路が形成され上記潤滑ポンプに取り付けられる筒状の取付口部とを備え、
該取付口部を、上記側壁の他端縁に連設され該側壁の外径よりも小さい外径を有するリング状部と、該リング状部に連設されるとともに外周に雄ネジが形成され該リング状部の最大外径と同じ若しくはこれよりも小さい外径を有する雄ネジ部とを備えて構成し、
上記リング状部の外側に周方向に沿う溝を形成し、該リング状部を、上記溝の上記側壁側の一側面を形成する一方リング状部，上記溝の上記雄ネジ部側の他側面を形成する他方リング状部，上記溝の底面を形成する中間リング状部を備えて構成し、上記一方リング状部の外径よりも上記他方リング状部の外径を小さく形成し、
上記一方リング状部の外側と内開口との間であって、該一方リング状部の上記側壁側の内部空間に面する部分を周方向に沿って切除し、該一方リング状部に上記側壁の一端縁から略軸方向に沿って立ち上がる始端を有した可撓薄肉状の縦壁を形成し、上記内部空間の潤滑剤の消費により上記側壁が縮小した際、該縮小した側壁の上記取付口部側が上記縦壁の始端を通り軸方向に直交する平面よりも上記外開口側に位置するようにし、
上記一方リング状部の縦壁の終端に連続するとともに上記溝の上記側壁側の一側面に対応した横壁を形成し、該横壁の少なくとも上記縦壁の終端側を可撓薄肉状に形成し、
上記通路の内開口縁を、上記内部空間側に膨出する断面弧状に形成し、上記横壁を上記内開口縁から上記縦壁の終端に向けて漸次薄肉になるように形成したことを特徴とするカートリッジタンク。
【請求項２】
上記底壁内面を内側に弧状に膨出形成し、上記内部空間の潤滑剤の消費により上記側壁が縮小した際、上記底壁内面を上記通路の内開口縁に当接可能にしたことを特徴とする請求項１記載のカートリッジタンク。
【請求項３】
上記側壁に軸方向の伸縮力が作用しない状態での該側壁の山部と山部とのピッチ及び谷部と谷部とのピッチをＰとし、上記底壁の最外側縁を通り軸方向に直交する平面と該底壁の内側面中央との軸方向幅をＨとして、０．５Ｐ≦Ｈ≦１．０Ｐに設定し、上記底壁内面が上記通路の内開口縁に当接したとき、縮小した側壁の上記取付口部側の６０％以上が上記縦壁の始端を通り軸方向に直交する平面よりも上記外開口側に位置するように形成したことを特徴とする請求項２記載のカートリッジタンク。
【発明の詳細な説明】
【技術分野】
【０００１】
本発明は、工作機械や射出成形機等の産業機械等に設けられる潤滑ポンプに取り付けられてグリス等の流動状の潤滑剤を供給する可撓樹脂製のカートリッジタンクに関する。
【背景技術】
【０００２】
従来、この種のカートリッジタンクとしては、例えば、本願出願人が先に提案した特許文献１（特開２０１２−７２８９１号公報）に記載されたものが知られている。
図３に示すように、このカートリッジタンクＴａは、図示外の潤滑ポンプに取り付けられるとともにブロー成形により成形され内部空間Ｅに充填された図示外の潤滑剤を潤滑ポンプに供給するもので、山部２と谷部３とが軸方向に交互に形成され軸方向に伸縮可能な蛇腹筒状の側壁１と、側壁１の一端縁１ａに一体に連設される底壁４と、側壁１の他端縁１ｂに一体に連設されるとともに側壁１と同軸の外開口６及び内開口７を有した通路８が形成され潤滑ポンプに取り付けられる筒状の取付口部５とを備えている。
【０００３】
取付口部５は、側壁１の他端縁１ｂに連設され側壁１の外径よりも小さい外径を有するリング状部１０と、リング状部１０に連設されるとともに外周に雄ネジ１１が形成されリング状部１０の最大外径よりも小さい外径を有する雄ネジ部１２とを備えて構成されている。リング状部１０の外側には、周方向に沿う溝１３が形成され、リング状部１０は、溝１３の側壁１側の一側面１３ａを形成する一方リング状部１４，溝１３の雄ネジ部１１側の他側面１３ｂを形成する他方リング状部１５，溝１３の底面１３ｃを形成する中間リング状部１６を備えて構成されている。一方リング状部１４と他方リング状部１６の外径は同じに形成されている。
【０００４】
そして、このカートリッジタンクＴａを潤滑ポンプに取り付けるときは、取付口部５の雄ネジ部１２を潤滑ポンプの取付部の雌ネジ部にねじ込んで取り付ける。この状態で、潤滑ポンプを作動させると、潤滑ポンプの吸引力によってカートリッジタンクＴａ内の潤滑剤が吸引され、潤滑剤はこの潤滑ポンプから所望の潤滑個所に吐出される。図４に示すように、カートリッジタンクＴａの潤滑剤が吸引されて徐々に消費されると、蛇腹筒状の側壁１が徐々に収縮し、収縮しきったところで、潤滑剤がなくなったとして、カートリッジタンクＴａを新しいものと交換する。
【先行技術文献】
【特許文献】
【０００５】
【特許文献１】特開２０１２−７２８９１号公報
【発明の概要】
【発明が解決しようとする課題】
【０００６】
ところで、この従来のカートリッジタンクＴａにおいては、図４に示すように、潤滑ポンプの吸引により、蛇腹筒状の側壁１が収縮しきったところで潤滑剤がなくなったとして、新しいものと交換するが、一方リング状部１４は肉厚になっているので剛性が高いことから、この一方リング状部１４に連設する側壁１の一端縁１ａ近傍が外開口６側に折れ曲がりにくくなっている。そのため、底壁内面４ａと取付口部５の通路８の内開口７側との間に生じる空間Ｅａが大きくなってしまい、この空間内に残る潤滑剤が多くなって無駄になり、不経済になるという問題があった。
【０００７】
本発明は、このような問題点に鑑みてなされたもので、蛇腹筒状の側壁が収縮しきった際に、底壁内面と取付口部の通路の内開口側との間に生じる空間ができるだけ小さくなるようにし、この空間内に残る潤滑剤の量を極力減らして、潤滑剤の残留量を低減して無駄を防止し省力化を図ったカートリッジタンクを提供することを目的とする。
【課題を解決するための手段】
【０００８】
このような目的を達成するため、本発明のカートリッジタンクは、潤滑ポンプに取り付けられるとともにブロー成形により成形され内部空間に充填された潤滑剤を該潤滑ポンプに供給する樹脂製のカートリッジタンクにおいて、
山部と谷部とが軸方向に交互に形成され軸方向に伸縮可能な蛇腹筒状の側壁と、該側壁の一端縁に一体に連設される底壁と、上記側壁の他端縁に一体に連設されるとともに該側壁と同軸の外開口及び内開口を有した通路が形成され上記潤滑ポンプに取り付けられる筒状の取付口部とを備え、
該取付口部を、上記側壁の他端縁に連設され該側壁の外径よりも小さい外径を有するリング状部と、該リング状部に連設されるとともに外周に雄ネジが形成され該リング状部の最大外径と同じ若しくはこれよりも小さい外径を有する雄ネジ部とを備えて構成し、
上記リング状部の外側に周方向に沿う溝を形成し、該リング状部を、上記溝の上記側壁側の一側面を形成する一方リング状部，上記溝の上記雄ネジ部側の他側面を形成する他方リング状部，上記溝の底面を形成する中間リング状部を備えて構成し、上記一方リング状部の外径よりも上記他方リング状部の外径を小さく形成し、
上記一方リング状部の外側と内開口との間であって、該一方リング状部の上記側壁側の内部空間に面する部分を周方向に沿って切除し、該一方リング状部に上記側壁の一端縁から略軸方向に沿って立ち上がる始端を有した可撓薄肉状の縦壁を形成し、上記内部空間の潤滑剤の消費により上記側壁が縮小した際、該縮小した側壁の上記取付口部側が上記縦壁の始端を通り軸方向に直交する平面よりも上記外開口側に位置するようにした構成としている。
【０００９】
これにより、このカートリッジタンクを潤滑ポンプに取り付けるときは、取付口部の雄ネジ部を潤滑ポンプの取付部の雌ネジ部にねじ込んで取り付ける。この状態で、潤滑ポンプを作動させると、カートリッジタンク内の潤滑剤が徐々に消費され、これに従って、蛇腹筒状の側壁が徐々に収縮し、収縮しきったところで、潤滑剤がなくなったとして、カートリッジタンクを新しいものと交換する。この場合、一方リング状部には側壁の一端縁から略軸方向に沿って立ち上がる始端を有した可撓薄肉状の縦壁が形成されているので、この縦壁及びこれに連続する側壁の一端縁近傍の剛性が小さくなって外側に折れ曲がりやすくなっており、そのため、縮小した側壁の取付口部側が縦壁の始端を通り軸方向に直交する平面よりも外開口側に位置するので、底壁内面と取付口部の通路の内開口側との間に生じる空間がそれだけ小さくなり、この空間内に残る潤滑剤の量を極力減らすことができ、潤滑剤の残留量を低減して無駄を防止し省力化を図ることができる。
【００１０】
そして、本発明の特徴は、上記の通り、上記リング状部の外側に周方向に沿う溝を形成し、該リング状部を、上記溝の上記側壁側の一側面を形成する一方リング状部，上記溝の上記雄ネジ部側の他側面を形成する他方リング状部，上記溝の底面を形成する中間リング状部を備えて構成し、上記一方リング状部の外径よりも上記他方リング状部の外径を小さく形成し、上記一方リング状部に、上記縦壁を形成した構成にある。
【００１１】
これにより、ブロー成形においては、成形型によって側壁，底壁及び取付口部に対応する部位を保持し、取付口部の外開口に対応する部分からエアを吹き込むが、この際に、取付口部に溝があるので、中間リング状部の直径方向の肉厚が薄くなっており、しかも、一方リング状部の外径よりも他方リング状部の外径を小さく形成しているので、他方リング状部の直径方向の肉厚も薄くなることから、成形時の蛇腹筒状の側壁側の成形、及び、縦壁の成形においての負担がかからなくなり、また、冷却の時間が速くなることから、冷却の間に材料がダレてしまう事態が抑制され、蛇腹筒状の側壁の肉厚、及び、縦壁の肉厚が均一になりやすく、内面も滑らかに形成することができる。
【００１２】
更に、必要に応じ、上記一方リング状部の縦壁の終端に連続するとともに上記溝の上記側壁側の一側面に対応した横壁を形成し、該横壁の少なくとも上記縦壁の終端側を可撓薄肉状に形成した構成としている。横壁も薄肉状になるので、この横壁も剛性が小さくなって外側に折れ曲がりやすくなり、そのため、縮小した側壁の取付口部側が縦壁の始端を通り軸方向に直交する平面よりもより一層外開口側に位置するようになり、底壁内面と取付口部の通路の内開口側との間に生じる空間がより一層小さくなり、潤滑剤の残留量をより一層低減することができる。
【００１３】
更にまた、必要に応じ、上記通路の内開口縁を、上記内部空間側に膨出する断面弧状に形成し、上記横壁を上記内開口縁から上記縦壁の終端に向けて漸次薄肉になるように形成した構成としている。横壁がより一層薄肉状になって外側に折れ曲がりやすくなり、そのため、縮小した側壁の取付口部側が縦壁の始端を通り軸方向に直交する平面よりもより一層外開口側に位置するようになり、底壁内面と取付口部の通路の内開口側との間に生じる空間がより一層小さくなり、潤滑剤の残留量をより一層低減することができる。
【００１４】
また、必要に応じ、上記底壁内面を内側に弧状に膨出形成し、上記内部空間の潤滑剤の消費により上記側壁が縮小した際、上記底壁内面を上記通路の内開口縁に当接可能にした構成としている。底壁内面と取付口部の通路の内開口側との間に生じる空間がより一層小さくなり、潤滑剤の残留量をより一層低減することができる。
【００１５】
更に、必要に応じ、上記側壁に軸方向の伸縮力が作用しない状態での該側壁の山部と山部とのピッチ及び谷部と谷部とのピッチをＰとし、上記底壁の最外側縁を通り軸方向に直交する平面と該底壁の内側面中央を通り軸方向に直交する平面との軸方向幅をＨとして、０．５Ｐ≦Ｈ≦１．０Ｐに設定し、上記底壁内面が上記通路の内開口縁に当接したとき、縮小した側壁の上記取付口部側の６０％以上が上記縦壁の始端を通り軸方向に直交する平面よりも上記外開口側に位置するように形成した構成としている。底壁内面と取付口部の通路の内開口側との間に生じる空間がより一層小さくなり、潤滑剤の残留量をより一層低減することができる。
【発明の効果】
【００１６】
本発明によれば、潤滑剤が消費され、蛇腹筒状の側壁が徐々に収縮して、収縮しきった際、底壁内面と取付口部の通路の内開口側との間に生じる空間ができるだけ小さくなるので、この空間内に残る潤滑剤の量を極力減らして、潤滑剤の残留量を低減して無駄を防止し省力化を図ることができる。
【図面の簡単な説明】
【００１７】
【図１】本発明の実施の形態に係るカートリッジタンクを、側壁に軸方向の伸縮力が作用しない状態で示す断面図である。
【図２】本発明の実施の形態に係るカートリッジタンクを、側壁が収縮しきった状態で示す断面図である。
【図３】従来のカートリッジタンクの一例を、側壁に軸方向の伸縮力が作用しない状態で示す断面図である。
【図４】従来のカートリッジタンクの一例を、側壁が収縮しきった状態で示す断面図である。
【発明を実施するための形態】
【００１８】
以下、添付図面に基づいて本発明の実施の形態に係るカートリッジタンクを説明する。尚、上記と同様のものには同一の符号を付して説明する。
図１及び図２に示すように、本発明の実施の形態に係るカートリッジタンクＴは、グリス等の流動状の図示外の潤滑剤が充填され、図示外の周知の潤滑ポンプに装着される。潤滑ポンプは、カートリッジタンクＴが着脱可能に取り付けられるアダプタ部及びカートリッジタンクＴ内の潤滑剤を吸引して吐出するポンプ部を有している。
【００１９】
本発明の実施の形態に係るカートリッジタンクＴは、ブロー成形により成形される可撓樹脂製であり、潤滑ポンプに供給するグリス等の流動状の潤滑剤が充填される。樹脂としては、例えば、低密度ポリエチレン等の可撓性のプラスチック材料が用いられる。実施の形態に係るカートリッジタンクＴは、潤滑油の収容量が２００ｍｌ用のものである。収容量は、これに限定されるものではなく、例えば、５００ｍｌ、７００ｍｌ等適宜変更して差し支えない。
カートリッジタンクＴの基本的構成は、山部２と谷部３とが軸方向に交互に形成され軸方向に伸縮可能な蛇腹筒状の側壁１と、側壁１の一端縁１ａに一体に連設される底壁４と、側壁１の他端縁１ｂに一体に連設されるとともに側壁１と同軸の外開口６及び内開口７を有した通路８が形成され上記潤滑ポンプに取り付けられる筒状の取付口部５とを備えて構成されている。
【００２０】
取付口部５は、側壁１の他端縁１ｂに連設され側壁１の外径よりも小さい外径を有するリング状部１０と、リング状部１０に連設されるとともに外周に雄ネジ１１が形成されリング状部１０の最大外径と同じ若しくはこれよりも小さい外径を有する雄ネジ部１２とを備えて構成されている。また、リング状部１０の外側には、周方向に沿う溝１３が形成されており、リング状部１０は、溝１３の側壁１側の一側面１３ａを形成する一方リング状部１４，溝１３の雄ネジ部１２側の他側面１３ｂを形成する他方リング状部１５，溝１３の底面１３ｃを形成する中間リング状部１６を備えて構成されている。
【００２１】
この取付口部５において、一方リング状部１４の外径Ｄａよりも他方リング状部１５の外径Ｄｂが小さく形成され、Ｄａ＞Ｄｂに設定されている。実施の形態では、取付口部５において、一方リング状部１４の外径をＤａ，他方リング状部１５の外径をＤｂ，中間リング状部１６の外径（溝１３の外径）をＤｃとしたとき、例えば、Ｄａ＝４４ｍｍ，Ｄｂ＝３５．３ｍｍ（雄ネジ外径＝φ３４．９ｍｍ），Ｄｃ＝３１．５ｍｍに設定されている。寸法は、これに限定されるものではない。
【００２２】
そして、一方リング状部１４の外側と内開口７との間であって、一方リング状部１４の側壁１側の内部空間Ｅに面する部分は、周方向に沿って切除されており、この一方リング状部１４に側壁１の一端縁１ａから略軸方向に沿って立ち上がる始端２０ａを有した可撓薄肉状の縦壁２０が形成されている。これにより、内部空間Ｅの潤滑剤の消費により側壁１が縮小した際、縮小した側壁１の取付口部５側が、縦壁２０の始端２０ａを通り軸方向に直交する平面Ｓａよりも、外開口６側に位置するように形成される。
【００２３】
また、一方リング状部１４には、縦壁２０の終端２０ｂに連続するとともに溝１３の側壁１側の一側面１３ａに対応し、略軸方向に直交する方向に延びる横壁２１が形成され、横壁２１の少なくとも縦壁２０の終端２０ｂ側が可撓薄肉状に形成されている。更に、通路８の内開口縁７ａは、内部空間Ｅ側に膨出する断面弧状に形成されており、横壁２１は、内開口縁７ａから縦壁２０の終端２０ｂに向けて漸次薄肉になるように形成されている。
【００２４】
更に、底壁４は、略均一な厚さで形成され、底壁内面４ａは、内側に弧状に膨出形成され、内部空間Ｅの潤滑剤の消費により側壁１が縮小した際、底壁内面４ａが通路８の内開口縁７ａに当接可能に形成されている。詳しくは、側壁１に軸方向の伸縮力が作用しない状態での側壁１の山部２と山部２とのピッチ（谷部３と谷部３とのピッチ）をＰとし、底壁４の最外側縁を通り軸方向に直交する平面Ｓｂと底壁４の底壁内側面４ａの中央Ｓｃとの軸方向幅をＨとして、０．５Ｐ≦Ｈ≦１．０Ｐに設定されている。また、底壁内面４ａが通路８の内開口縁７ａに当接したとき、縮小した側壁１の取付口部５側の６０％以上が縦壁２０の始端２０ａを通り軸方向に直交する平面よりも外開口６側に位置するように形成されている。
【００２５】
このようなカートリッジタンクＴを製造するときは、ブロー成形によって成形する。ブロー成形においては、成形型によって側壁１，底壁４及び取付口部５に対応する部位を保持し、取付口部５の外開口６に対応する部分からエアを吹き込むが、この際に、取付口部５に溝１３があるので、中間リング状部１６の直径方向の肉厚が薄くなっており、しかも、一方リング状部１４の外径Ｄａよりも他方リング状部１５の外径Ｄｂを小さく形成（Ｄａ＞Ｄｂ）しているので、他方リング状部１５の直径方向の肉厚も薄くなることから、成形時の蛇腹筒状の側壁１側の成形、及び、縦壁２０の成形においての負担がかからなくなり、また、冷却の時間が速くなることから、冷却の間に材料がダレてしまう事態が抑制され、蛇腹筒状の側壁１の肉厚、及び、縦壁２０の肉厚が均一になりやすく、内面も滑らかに形成することができる。
【００２６】
そして、このカートリッジタンクＴを潤滑ポンプに取り付けるときは、取付口部５の雄ネジ部１２を潤滑ポンプの取付部の雌ネジ部にねじ込んで取り付ける。この状態で、潤滑ポンプを作動させると、カートリッジタンクＴ内の潤滑剤が徐々に消費され、これに従って、蛇腹筒状の側壁１が徐々に収縮し、収縮しきったところで、潤滑剤がなくなったとして、カートリッジタンクＴを新しいものと交換する。この場合、図２に示すように、一方リング状部１４には、側壁１の一端縁１ａから略軸方向に沿って立ち上がる始端２０ａを有した可撓薄肉状の縦壁２０が形成されているので、この縦壁２０及びこれに連続する側壁１の一端縁１ａ近傍の剛性が小さくなって外側に折れ曲がりやすくなっており、そのため、縮小した側壁１の取付口部５側が縦壁２０の始端２０ａを通り軸方向に直交する平面よりも外開口６側に位置するので、底壁内面４ａと取付口部５の通路８の内開口７側との間に生じる空間Ｅａがそれだけ小さくなり、この空間内に残る潤滑剤の量を極力減らすことができ、潤滑剤の残留量を低減して無駄を防止し省力化を図ることができる。
【００２７】
また、横壁２１の少なくとも縦壁２０の終端２０ｂ側が可撓薄肉状に形成され、実施の形態では、横壁２１が円弧状の内開口縁７ａから縦壁２０の終端２０ｂに向けて漸次薄肉になるように形成されているので、この横壁２１も剛性が小さくなって外側に折れ曲がりやすくなり、そのため、縮小した側壁１の取付口部５側が縦壁２０の始端２０ａを通り軸方向に直交する平面Ｓａよりもより一層外開口６側に位置するようになり、底壁内面４ａと取付口部５の通路８の内開口７側との間に生じる空間Ｅａがより一層小さくなり、潤滑剤の残留量をより一層低減することができる。
【００２８】
また、底壁内面４ａが内側に弧状に膨出形成され、内部空間Ｅの潤滑剤の消費により側壁１が縮小した際、底壁内面４ａが通路８の内開口縁７ａに当接するので、特に、縮小した側壁１の取付口部５側の６０％以上が縦壁２０の始端２０ａを通り軸方向に直交する平面Ｓａよりも外開口６側に位置するので、底壁内面４ａと取付口部５の通路８の内開口７側との間に生じる空間Ｅａがより一層小さくなり、潤滑剤の残留量をより一層低減することができる。
【００２９】
尚、上記実施の形態において、側壁１の蛇腹の山数は適宜に定めて良く、潤滑剤Ｌの容量等により適宜変更して差し支えない。また、カートリッジタンクＴの樹脂の材質も適宜に変更してよいことは勿論である。
【符号の説明】
【００３０】
Ｔ  カートリッジタンク
１  側壁
１ａ  一端縁
１ｂ  他端縁
２  山部
３  谷部
４  底壁
４ａ  底壁内面
５  取付口部
６  外開口
７  内開口
７ａ  内開口縁
８  通路
１０  リング状部
１１  雄ネジ
１２  雄ネジ部
１３  溝
１３ａ  一側面
１３ｂ  他側面
１３ｃ  底面
１４  一方リング状部
１５  他方リング状部
１６  中間リング状部
２０  縦壁
２０ａ  始端
２０ｂ  終端
２１  横壁
【図１】
0006670058.tif 000002
【図２】
0006670058.tif 000003
【図３】
0006670058.tif 000004
【図４】
0006670058.tif 000005